(57)【要約】      （修正有）【課題】損傷が生じにくい圧迫用カフを提供する。【解決手段】圧迫用カフ１は、積層した２枚の樹脂シートの外周を全周で溶着してなり、長手方向に伸びる帯状形状を有する空気袋２と、空気袋２の溶着部を貫通して設けられ、空気袋２の内部空間と外部とを連通するチューブ３と、チューブ３の端部に接続され、空気袋２の内部空間の圧力を調節する加圧ポンプ４と、空気袋２を被圧迫部（大腿部）に巻回した環状の状態で固定する固定部材５と、を有し、被圧迫部に巻回して固定した空気袋２の内部空間を加圧し、膨張した空気袋２で被圧迫部を圧迫する。【選択図】図４
0003230692.tif 000002
【実用新案登録請求の範囲】
【請求項１】
積層した２枚の樹脂シートの外周を全周で溶着してなり、長手方向に伸びる帯状形状を有する空気袋と、
前記空気袋の溶着部を貫通して設けられ、前記空気袋の内部と外部とを連通するチューブと、
前記チューブの端部に接続され、前記空気袋の内部の圧力を調節する加圧ポンプと、
前記空気袋を被圧迫部に巻回した環状の状態で固定する固定部材と、
を有し、
前記被圧迫部に巻回して固定した前記空気袋の内部を加圧し、膨張した前記空気袋で前記被圧迫部を圧迫することを特徴とする圧迫用カフ。
【請求項２】
前記固定部材は、フック面を有するフック面部材と、前記フック面と係合するループ面を有するループ面部材と、を備える面ファスナーである請求項１記載の圧迫用カフ。
【請求項３】
前記フック面部材と前記ループ面部材の一方が、前記空気袋の外周面側の表面の全面に一体に固定され、
前記フック面部材と前記ループ面部材の他方が、前記フック面部材と前記ループ面部材の一方の長手方向の両端部に係合する請求項２記載の圧迫用カフ。
【請求項４】
内部が連通した複数の前記空気袋を、幅方向に並んだ状態で備える請求項１〜３のいずれか１項に記載の圧迫用カフ。
【考案の詳細な説明】
【技術分野】
【０００１】
本考案は、被圧迫部に巻回して固定した空気袋を膨張させ、空気袋で被圧迫部を圧迫する圧迫用カフに関する。
【背景技術】
【０００２】
四肢の筋肉に締付力を与えて血流を制限しながら運動を行う筋力トレーニング方法が知られている。このトレーニング方法は、袋状に形成された細長い布製のベルトの中にゴム製の空気袋を挿入してなる圧迫用カフを使用する。従来の圧迫用カフは、四肢の所定の位置に巻回して固定され、空気袋に空気を送り込むことにより所望の圧力を発生させて四肢を圧迫して締め付ける。
【考案の概要】
【考案が解決しようとする課題】
【０００３】
従来の圧迫用カフは、ゴム製の空気袋が破れやすいという問題があった。また、空気袋の内部に空気を送り込むためのチューブを備えており、このチューブが空気袋に接続する部分で揺動し、接続部の近傍で損傷が生じやすかった。
【０００４】
本考案は上記実情に鑑みてなされたものであり、損傷が生じにくい圧迫用カフを提供することを課題とする。
【課題を解決するための手段】
【０００５】
上記課題を解決する本考案は、積層した２枚の樹脂シートの外周を全周で溶着してなり、長手方向に伸びる帯状形状を有する空気袋と、前記空気袋の溶着部を貫通して設けられ、前記空気袋の内部と外部とを連通するチューブと、前記チューブの端部に接続され、前記空気袋の内部の圧力を調節する加圧ポンプと、前記空気袋を被圧迫部に巻回した環状の状態で固定する固定部材と、を有し、前記被圧迫部に巻回して固定した前記空気袋の内部を加圧し、膨張した前記空気袋で前記被圧迫部を圧迫することを特徴とする。
【０００６】
本考案の圧迫用カフは、樹脂シートを溶着して形成された空気袋を有している。この空気袋は、ゴム製の空気袋（従来品）よりも強度に優れている。すなわち、空気袋の損傷が抑えられたものとなっている。
【０００７】
さらに、本考案の圧迫用カフは、空気袋の溶着部にチューブが貫通して設けられている。溶着部は樹脂シートよりも硬質であり、溶着部を貫通するチューブが強固に固定される。この結果、空気袋とチューブとが接続する部分の損傷が抑えられる。
【０００８】
以上の結果、本考案の圧迫用カフは、損傷が生じにくいものとなっている。
【０００９】
さらに、本考案の圧迫用カフは、袋状のベルトを用いることなく、使用できる。つまり、従来の圧迫用カフと比較して部品点数を減少できる。これにより、圧迫用カフに要するコストを低減できる。
【００１０】
加えて、本考案の圧迫用カフの空気袋は、樹脂シートを溶着して形成されており、その表面に汚れが付着しても、簡単に洗浄できる。これにより、圧迫用カフを繰り返し使用する際の洗浄に要するコストを低減できる。
【図面の簡単な説明】
【００１１】
【図１】実施形態１の圧迫用カフを加圧状態で示した斜視図である。
【図２】実施形態１の圧迫用カフを示す断面図である。
【図３】実施形態１の圧迫用カフを示す上面図である。
【図４】実施形態１の圧迫用カフを大腿部に固定した状態を示す側面図である。
【図５】実施形態２の圧迫用カフの空気袋を示す上面図である。
【図６】実施形態２の圧迫用カフを大腿部に固定した状態を示す側面図である。
【考案を実施するための形態】
【００１２】
以下、本考案の圧迫用カフについて、実施の形態を用いて本考案を具体的に説明する。
【００１３】
［実施形態１］
本形態の圧迫用カフ１は、図１〜図４に示すように、空気袋２と、チューブ３と、加圧ポンプ４と、面ファスナー５と、を有する。図１は、本形態の圧迫用カフ１を、空気袋２の内部空間２１を加圧した状態で示した。図２は、図１中のＩＩ−ＩＩ線での断面図である。図３は、本形態の空気袋２の上面図である。図４は、本形態の圧迫用カフ１を大腿部に固定した状態を示す側面図である。
【００１４】
空気袋２は、積層した２枚の樹脂シート２０（２０Ａ，２０Ｂ）の外周を全周で溶着してなる。樹脂シート２０の外周が全周で溶着されることで、空気袋２の内部に内部空間２１が形成される。積層した２枚の樹脂シート２０とは、２枚の樹脂シート２０（２０Ａ，２０Ｂ）が厚さ方向で積層した状態のものであればよく、２枚の樹脂シート２０Ａ，２０Ｂを積層したものだけでなく、１枚の樹脂シート２０を折り返して積層状態としたものを含む。
【００１５】
２枚の樹脂シート２０（２０Ａ，２０Ｂ）のうち、樹脂シート２０Ａは空気袋２の一方の表面を形成し、樹脂シート２０Ｂは空気袋２の他方の表面を形成する。一方の表面は、後述のように、大腿部に固定したときに外周面側に位置する面である。他方の表面は、大腿部に固定したときに内周面側に位置する面である。
【００１６】
空気袋２を形成する樹脂シート２０は、空気袋２の内部空間２１の圧力を圧力バルブで高めたときに、空気袋２が膨らんで被圧迫部を圧迫できる材料（樹脂材料）や厚さであればよく、具体的な材料や厚さが限定されない。なお、樹脂シート２０の材料は、ゴム（ゴム弾性を発揮する材料）を含まない。
【００１７】
樹脂シート２０の材料は、溶着可能な材料である熱可塑性樹脂であることが好ましい。熱可塑性樹脂としては、例えば、ポリウレタン（ＰＵ）、ポリエチレン（ＰＥ）、ポリプロピレン（ＰＰ）、ポリ塩化ビニル（ＰＶＣ）、ポリスチレン（ＰＳ）、ポリ酢酸ビニル（ＰＶＡ）、ＡＢＳ樹脂、アクリル樹脂、ポリアミド（ＰＡ）、ポリアセタール（ＰＯＭ）、ポリカーボネート（ＰＣ）、ポリエステル（ＰＥｓ）、熱可塑性ポリイミド  （ＰＩ）、ポリアミドイミド  （ＰＡＩ）等の樹脂をあげることができる。
【００１８】
積層した２枚の樹脂シート２０（２０Ａ，２０Ｂ）のそれぞれの材料は、溶着可能な組み合わせであれば、同じ樹脂であっても、異なる樹脂であっても、いずれでもよい。積層した２枚の樹脂シート２０のそれぞれの材料は、同じ材料であることがより好ましい。
【００１９】
樹脂シート２０は、その厚さが限定されない。空気袋２の内部にガス（流体、空気）を入れたときに空気袋２が膨らむように変形できる厚さであればよい。材料により樹脂シート２０の変形のしやすさが異なることから、最適な厚さについても限定されない。本形態では、空気袋２の内部空間２０の圧力を少なくとも３００ｍｍＨｇに加圧しても、伸びることなく変形できる厚さである。
【００２０】
本形態では、２枚の樹脂シート２０のそれぞれに、厚さ０．５ｍｍのポリウレタンシート（日本マタイ社製、商品名：エスマーＵＲＳ  ＥＴ（９８）＃５）を用いた。このポリウレタンシートは、引張強度：平均６７ＭＰａ、引張伸度：平均４７３％である。
【００２１】
空気袋２は、図２に示すように、樹脂シート２０が溶着した溶着部２２を有する。溶着部２２は、長方形の樹脂シート２０の外周部に、全周にわたって形成される。溶着部２２の幅（溶着幅）の長さは限定されない。本形態は、樹脂シート２０が幅：１００ｍｍ、長手方向長さ：４００ｍｍの帯状を有し、その外周の周縁部に５ｍｍの幅で溶着部２２が形成されている。
【００２２】
チューブ３は、空気袋２の溶着部２２を貫通して設けられる。チューブ３は、空気袋２の内部空間２１（内部）と外部とを連通する。チューブ３は、一端３０が空気袋２の内部空間２１で開口し、他端３１が外部で開口する。チューブ３の他端３１は、加圧ポンプ４に接続する。チューブ３は、加圧ポンプ４により空気袋２の内部空間２１を加圧することができるように、通気可能に形成されている。
【００２３】
チューブ３は、その材料や径（内径及び外径）は限定されない。チューブ３は、溶着部２２を貫通する部分が、溶着時の熱で変形しない材料であることが好ましい。樹脂シート２０の材料より硬質の材料よりなることが好ましい。
【００２４】
加圧ポンプ４は、チューブ３の他端３１（端部）に接続され、空気袋２の内部空間２１の圧力を調節する装置である。加圧ポンプは、この機能を発揮できる装置であれば、具体的な装置の構成が限定されない。本形態では、ゴム球４０と、圧力計４１と、切り替え弁４２と、送気チューブ４３と、を有する。
【００２５】
ゴム球４０は、手動で空気袋２の内部空間２１を加圧する装置である。ゴム球４０は、手動で空気袋２の内部空間２１に空気（ガス）を送る部材である。ゴム球４０は、内部空間２１に送った空気が逆流することを防止する逆流防止弁（図示せず）を有する。
【００２６】
圧力計４１は、空気袋２の内部空間２１と連通した位置に設けられ、内部空間２１の圧力を測定する。
【００２７】
切り替え弁４２は、ゴム球４０と圧力計４１との間に設けられ、ゴム球４０からの空気を空気袋２に流す状態と、空気袋２内の加圧された空気が逆流することを規制する状態と、空気袋２内の加圧された空気を外部に排出する状態と、を切り替える弁である。
【００２８】
送気チューブ４３は、ゴム球４０とチューブ３とを接続し、その経路中に、圧力計４１及び切り替え弁４２を設けたチューブである。
【００２９】
面ファスナー５は、空気袋２を被圧迫部（後述の大腿部）に巻回した環状の状態で固定する部材（固定部材）である。面ファスナー５は、フック面５０ａを有するフック面部材５０と、フック面５０ａと係合するループ面５１ａを有するループ面部材５１と、を備える。
【００３０】
本形態では、面ファスナー５のフック面部材５０は、フック面５０ａが露出した状態で、空気袋２の一方の表面（樹脂シート２０Ａの表面）の全面に両面粘着テープ（図示せず）で固定されている。フック面部材５０は、樹脂シート２０（２０Ａ）と同じ形状で形成されており、空気袋２の一方の表面の全面がフック面５０ａとなっている。本形態のフック面部材５０は、幅：１００ｍｍ、長手方向長さ：４００ｍｍの帯状（又はシート状）の部材である。
【００３１】
フック面部材５０を樹脂シート２０Ａに固定する両面粘着テープは、フック面部材５０と樹脂シート２０Ａとを着脱可能に固定することが好ましい。着脱可能に固定することで、空気袋２のみの洗浄等が可能となる。
【００３２】
面ファスナー５のループ面部材５１は、フック面部材５０と脱着可能な部材であり、空気袋２がフック面５０ａを外周面とした環状を形成したときに、長手方向の両端を同時に係合する部材である。ループ面部材５１は、幅：１００ｍｍの帯状（又はシート状）の部材である。
【００３３】
なお、面ファスナー５のフック面部材５０は樹脂シート２０より変形しにくく、ループ面部材５１は樹脂シート２０より変形しやすい。換言すると、フック面部材５０は樹脂シート２０より硬質に形成されている。空気袋２を環状に固定するときに、軟質のループ面部材５１を外周面側から環状に変形させることとなり、固定しやすくなる。
【００３４】
（使用方法例）
本形態の圧迫用カフ１の使用方法を、大腿部（被圧迫部）の血流を制限することに使用する方法を用いて説明する。
【００３５】
最初に、本形態の圧迫用カフ１は、フック面部材５０の長手方向の一方の端部にループ面部材５１を係合する。
【００３６】
次に、本形態の圧迫用カフ１を、帯状の長手方向が大腿部（被圧迫部）の周方向に沿って巻き付ける。このとき、空気袋２の他方の表面（樹脂シート２０Ｂの表面）を内周側で、大腿部に直接当接した状態で巻き付ける。巻き付けられた空気袋２は、その内周面が樹脂シート２０Ｂにより形成され、外周面がフック面部材５０で形成される。
【００３７】
そして、大腿部を巻回したフック面部材５０の長手方向の他方の端部にループ面部材５１を係合する。これにより、本形態の圧迫用カフ１は、図４に示すように、大腿部（被圧迫部）を巻回した環状の状態で空気袋２が固定される。ループ面部材５１は、フック面部材５０の長手方向の両端部に係合して、固定される。
【００３８】
それから、加圧ポンプを操作して空気袋２の内部空間２１の圧力を高める。そうすると、空気袋２の内部空間２１が膨張し、大腿部を圧迫できる。
【００３９】
具体的には、ゴム球４０を操作し、空気袋２の内部空間２１に空気を送り、内部空間２１を加圧する。そうすると、空気袋２の内部空間２１が膨張する。空気袋２は、ゴム弾性がほとんどない樹脂シート２０（２０Ａ，２０Ｂ）から形成されており、図１〜図２に示すように、内部空間２１が膨張したときにそれぞれの樹脂シート２０（特に樹脂シート２０Ｂ）の幅方向の中央部近傍が平面形状を維持した状態で膨らむ。内部空間２１が膨張したときの断面形状は円形ではなく、略小判形状となる。本形態の圧迫用カフ１は、空気袋２の外周面に面ファスナー５のフック面部材５０が固定されており、膨張による変形が内周面側より規制される。この結果、本形態の圧迫用カフ１は、大腿部に面する内周面側が外周面側より膨張し、空気袋２が大腿部を圧迫する。
【００４０】
そして、圧力計で空気袋２の内部空間２１の圧力を所定の圧力に保持し、大腿部を圧迫する。この状態（大腿部の血流を制限した状態）で、大腿部の筋肉を増強する運動を行う。運動終了後、切り替え弁４２を切り替えて、空気袋２の内部空間２１内の加圧された空気を外部に排出し、大腿部の圧迫を終了する。
【００４１】
その後、ループ面部材５１の長手方向の一方の端部及び／又は他方の端部をフック面部材５０から取り外し、本形態の圧迫用カフ１を大腿部から取り外す。
【００４２】
以上のように、本形態の圧迫用カフ１は、大腿部を圧迫することができる。
【００４３】
（効果）
本形態の圧迫用カフ１は、積層した２枚の樹脂シート２０（２０Ａ，２０Ｂ）の外周を全周で溶着してなり、長手方向に伸びる帯状形状を有する空気袋２と、空気袋２の溶着部２２を貫通して設けられ、空気袋２の内部空間２１と外部とを連通するチューブ３と、チューブ３の端部に接続され、空気袋２の内部空間２１の圧力を調節する加圧ポンプと、空気袋２を大腿部（被圧迫部）に巻回した環状の状態で固定する面ファスナー５（固定部材）と、を有する。そして、大腿部（被圧迫部）に巻回して固定した空気袋２の内部空間２１の圧力を高めて加圧し、内部空間２１を膨張した空気袋２で大腿部（被圧迫部）を圧迫する。
【００４４】
本形態の圧迫用カフ１は、空気袋２が樹脂シート２０（２０Ａ，２０Ｂ）から形成されている。樹脂シート２０がゴムより強度に優れていることから、空気袋２は高い強度を有する。また、チューブ３との接合部の強度も、従来のゴム製のものより優れている。この結果、本形態の圧迫用カフ１は、空気袋２及びチューブ３との接続部での損傷が生じにくくなっており、長寿命となっている。
【００４５】
本形態の圧迫用カフ１は、空気袋２を大腿部に直接固定しており、従来のゴム製の空気袋を収容するベルトを用いることなく大腿部（被圧迫部）の圧迫に使用できる。本形態の圧迫用カフ１は、部品点数を少なくすることができ、特にベルトに要するコストを低減できる。
【００４６】
空気袋２を形成する樹脂シート２０は、ゴムより硬質の材料である。空気袋２の内部空間２１を膨張させると、樹脂シート２０Ｂの幅方向の中央部近傍が平面形状を維持した状態で空気袋２が膨らむ。大腿部（被圧迫部）を広い面積で、かつほぼ均一の圧力で圧迫できる。本形態の圧迫用カフ１は、空気袋２が大腿部（被圧迫部）を圧迫する部分が面となり、血流の規制の効果をより確実に発揮できる。
【００４７】
本形態の圧迫用カフ１は、従来のベルトを用いることなく、空気袋２が大腿部（被圧迫部）に当接した状態で使用することができる。本形態の圧迫用カフ１は、使用等の取り扱い時に汚れが付着しても、樹脂シート２０から形成された空気袋２は簡単に洗浄することができる。更に、この空気袋２は、使用前の清浄（消毒）を簡単に行うことができる。この結果、本形態の圧迫用カフ１は、メンテナンス性に優れている。対して、ベルトを用いる従来品では、ゴム製の空気袋及びベルトのそれぞれに洗浄（消毒）を行う必要があるだけでなく、洗浄（消毒）後の組み付けの手間も多くかかるという問題がある。
【００４８】
本形態の圧迫用カフ１は、固定部材として、フック面５０ａを有するフック面部材５０と、フック面５０ａと係合するループ面５１ａを有するループ面部材５１と、を備える。そして、フック面部材５０（フック面部材５０とループ面部材５１の一方）が、空気袋２の外周側の表面の全面に一体に固定され、ループ面部材５１（フック面部材５０とループ面部材５１の他方）が、フック面部材５０（フック面部材５０とループ面部材５１の一方）の長手方向の両端部に係合する。
【００４９】
本形態の圧迫用カフ１において、面ファスナー５のフック面部材５０及びループ面部材５１の両部材は、いずれも柔軟性を有している。このため、本形態の圧迫用カフ１は、大腿部の外周面に沿った形状（環状）に容易に変形でき、この状態で大腿部に固定できる。面ファスナー５は、フック面部材５０とループ面部材５１との着脱を簡単に行うことができるだけでなく、固定位置を簡単に調節できる。すなわち、本形態の圧迫用カフ１は、大腿部の太さにかかわらず、大腿部に沿って固定できる。
【００５０】
本形態の圧迫用カフ１は、フック面部材５０が、空気袋２の外周側の表面の全面に固定されている。この構成によると、空気袋２の外周面側の全面にフック面部材５０が位置し、空気袋２が膨張したときに、フック面部材５０が外周側に膨らむことを規制する。そうすると、空気袋２が膨張したときに、外周側より内周側に膨らむこととなり、大腿部（被圧迫部）をより確実に圧迫できる。
【００５１】
［実施形態２］
本形態の圧迫用カフ１は、図５に示すように、複数の空気袋２を有すること以外は、実施形態１と同様な構成である。図５は、本形態の圧迫用カフ１の空気袋２を示す上面図である。
【００５２】
本形態の圧迫用カフ１は、図５に示すように、３つの空気袋２（２Ａ，２Ｂ，２Ｃ）を備える。３つの空気袋２（２Ａ，２Ｂ，２Ｃ）は、それぞれが帯状の形状を有し、帯状形状の幅方向に並んで配置されている。３つの空気袋２Ａ，２Ｂ，２Ｃは、チューブ３（３Ｂ，３Ｃ）でそれぞれの内部空間２１が連通している。
【００５３】
空気袋２Ａは、実施形態１の空気袋２と同様な帯状の形状に形成されている。空気袋２Ａには、幅方向の一方の端部側にチューブ３Ａが設けられている。チューブ３Ａは、実施形態１のチューブ３と同様に設けられている。空気袋２Ａの幅方向の他方の端部側には、チューブ３Ｂが設けられている。チューブ３Ａとチューブ３Ｂとは、空気袋２Ａの長手方向での位置が同じ位置で、幅方向の両端側に設けられている。
【００５４】
空気袋２Ｂは、実施形態１の空気袋２と同様な帯状の形状に形成されている。空気袋２Ｂには、幅方向の一方の端部側にチューブ３Ｂが設けられている。チューブ３Ｂは、実施形態１のチューブ３と同様に設けられている。空気袋２Ｂの幅方向の他方の端部側には、チューブ３Ｃが設けられている。チューブ３Ｂとチューブ３Ｃとは、空気袋２Ｂの長手方向での位置が同じ位置で、幅方向の両端側に設けられている。
【００５５】
空気袋２Ｃは、実施形態１の空気袋２と同様な帯状の形状に形成されている。空気袋２Ｃには、幅方向の一方の端部側にチューブ３Ｃが設けられている。チューブ３Ｃは、実施形態１のチューブ３と同様に設けられている。
【００５６】
空気袋２Ｂの内部空間２１は、チューブ３Ｂを介して空気袋２Ａの内部空間２１と連通している。空気袋２Ｃの内部空間２１は、チューブ３Ｃを介して空気袋２Ｂの内部空間２１と連通している。すなわち、３つの空気袋２Ａ，２Ｂ，２Ｃは、チューブ３Ｂ，３Ｃで連通している。
【００５７】
３つの空気袋２（２Ａ，２Ｂ，２Ｃ）のそれぞれの一方の表面（外周側の表面）には、面ファスナー５のフック面部材５０が固定されている。それぞれのフック面部材５０は、互いに異なるループ面部材５１が係合して固定される。
空気袋２Ａに設けられたチューブ３Ａは、加圧ポンプに接続する。
【００５８】
（作用効果）
本形態の圧迫用カフ１は、実施形態１のものと同様に大腿部に巻き付けて使用することができる。
本形態の圧迫用カフ１は、図６に示すように、３つの空気袋２Ａ，２Ｂ，２Ｃのそれぞれを大腿部に巻き付けて固定して使用する。そして、本形態の圧迫用カフ１は、加圧ポンプ（ゴム球）を操作すると、チューブ３Ａを介して空気袋２Ａの内部空間２１が加圧される。３つの空気袋２Ａ，２Ｂ，２Ｃは、チューブ３Ｂ，３Ｃで連通しており、それぞれの空気袋２Ａ，２Ｂ，２Ｃが同時に膨張する。この結果、本形態の圧迫用カフ１は、大腿部を広い面積で圧迫できる。また、本形態の圧迫用カフ１は、それぞれの空気袋２Ａ，２Ｂ，２Ｃを独立して大腿部に巻き付けて固定できる。本形態の圧迫用カフ１は、大腿部のように太さが異なる部位に、適切に巻き付けることができる。つまり、太さが異なる大腿部でも、広い面積を適切な圧力で圧迫できる。
【００５９】
［変形形態１］
上記の各形態では空気袋２の樹脂シート２０（２０Ａ，２０Ｂ）に同じ厚さのシートを用いているが、この形態に限定されない。厚さの異なるシートで形成しても良い。２枚の樹脂シート２０（２０Ａ，２０Ｂ）の厚さが異なる場合、大腿部（被圧迫部）に当接する面を形成する樹脂シート２０Ｂの厚さが、樹脂シート２０Ａよりも薄いことが好ましい。
【００６０】
この構成によると、大腿部（被圧迫部）に当接する樹脂シート２０Ｂ側が、樹脂シート２０Ａ側よりも膨らみやすくなる。つまり、空気袋２の大腿部（被圧迫部）側が膨張し、大腿部（被圧迫部）をより確実に圧迫できる。
【符号の説明】
【００６１】
１：圧迫用カフ、２：空気袋、２０，２０Ａ，２０Ｂ：樹脂シート、２１：内部空間、２２：溶着部、３，３Ａ，３Ｂ，３Ｃ：チューブ、４：加圧ポンプ、４０：ゴム球、４１：圧力計、４２：切り替え弁、４３送気チューブ、５：面ファスナー、５０：フック面部材、５１：ループ面部材。
【図１】
0003230692.tif 000003
【図２】
0003230692.tif 000004
【図３】
0003230692.tif 000005
【図４】
0003230692.tif 000006
【図５】
0003230692.tif 000007
【図６】
0003230692.tif 000008